(57)【特許請求の範囲】
【請求項１】
主暖房対象空間と副暖房対象空間との夫々に熱媒体流通管が装備された床暖房パネルが設けられ、熱源からの熱媒体が前記熱媒体流通管に循環流動されるように構成されている床暖房設備であって、
前記床暖房パネルとして、前記主暖房対象空間に設置される主床暖房パネルと前記副暖房対象空間に設置される副床暖房パネルとが設けられ、
前記熱源からの熱媒体を前記主床暖房パネルの熱媒体流通管、前記副床暖房パネルの熱媒体流通管の順に流動させるように、前記主床暖房パネル、前記副床暖房パネル、および、前記熱源が接続され、
前記主床暖房パネルとして、前記主暖房対象空間の中央部分に設置される主パネル部分とその主パネル部分の周囲の全周囲または一部に設置される副パネル部分とが設けられ、
前記熱源からの熱媒体を前記主パネル部分の熱媒体流通管、前記副パネル部分の熱媒体流通管の順に流動させるように、前記主パネル部分、前記副パネル部分、および、前記熱源が接続されている床暖房設備。
【請求項２】
前記主床暖房パネルの熱媒体流通管が、パネル全体にわたって分散配置した熱媒体往動通流用の往路部分と、その往路部分の端部から連なり前記往路部分に対し熱媒体通流方向が逆方向になる状態で並んで配置される熱媒体復動通流用の復路部分とを備えるように構成され、
前記復路部分を通流した熱媒体を前記副床暖房パネルに導入するように構成されている請求項１に記載の床暖房設備。
【請求項３】
前記主床暖房パネルにおける前記熱媒体流通管の設置密度が、前記副床暖房パネルにおける前記熱媒体流通管の設置密度よりも大きくなるように構成されている請求項１または２に記載の床暖房設備。
【請求項４】
前記主床暖房パネルを通流した熱媒体を前記副床暖房パネルを通流させて前記熱源に戻す併用通流状態と、前記主床暖房パネルを通流した熱媒体を前記副床暖房パネルをバイパスして前記熱源に戻す単独通流状態とに切換自在な通流状態切換手段が設けられている請求項１〜３のいずれか１項に記載の床暖房設備。
【発明の詳細な説明】
【０００１】
【発明の属する技術分野】
本発明は、主暖房対象空間と副暖房対象空間との夫々に熱媒体流通管が装備された床暖房パネルが設けられ、熱源からの熱媒体が前記熱媒体流通管に循環流動されるように構成されている床暖房設備に関する。
【０００２】
【従来の技術】
上記のような床暖房設備は、図５に示すように、リビングや和室の主暖房対象空間Ｋ１と台所や廊下などの副暖房対象空間Ｋ２との夫々の床面に床暖房パネルＰを設けて、その床暖房パネルＰの熱媒体流通管３１に熱源Ｇから熱媒体としての温水を循環供給することにより、主暖房対象空間Ｋ１および副暖房対象空間Ｋ２を暖房するものである。
そして、従来では、熱源Ｇが主暖房対象空間Ｋ１と副暖房対象空間Ｋ２とに独立して熱媒体を循環供給するように、主暖房対象空間Ｋ１に設置される床暖房パネルＰと副暖房対象空間Ｋ２に設置される床暖房パネルＰとの夫々が各別に熱源Ｇに接続されている。
【０００３】
【発明が解決しようとする課題】
しかしながら、上記従来の床暖房設備では、主暖房対象空間に設置される床暖房パネルと副暖房対象空間に設置される床暖房パネルとの夫々が各別に熱源に接続されているために、主暖房対象空間に設置される床暖房パネルにも、副暖房対象空間に設置される床暖房パネルにも、熱源から熱媒体を一律に循環供給されるので、余剰な暖房コストがかかる虞がある。
すなわち、副暖房対象空間は、主暖房対象空間に比べて、使用者が長時間存在する可能性が低く、主暖房対象空間に供給される熱媒体の温度と同様の温度の熱媒体を副暖房対象空間にも供給すると、副暖房対象空間では余剰な暖房が行われることとなって、余剰な暖房コストがかかることになる。
【０００４】
また、上記従来の床暖房設備では、熱源からの熱媒体の供給を開始させたり、熱源からの熱媒体の供給を停止させたり、熱源からの熱媒体の供給状態を制御する制御装置が、主暖房対象空間にも、副暖房対象空間にも、夫々別々に必要となり、設備コストの増大を招くとともに、主暖房対象空間の制御装置と副暖房対空間の制御装置との夫々について、熱媒体の供給を開始するまたは停止するなどの指令を与える操作をしなければならず、主暖房対象空間および副暖房対空間を暖房する際の操作が手間のかかるものとなる。
【０００５】
本発明は、かかる点に着目してなされたものであり、その目的は、余剰なコストの削減、設備コストの低減、および、主暖房対象空間および副暖房対空間を暖房する際の操作の簡素化を図りながら、主暖房対象空間および副暖房対象空間を暖房することが可能となる床暖房設備を提供する点にある。
【０００６】
【課題を解決するための手段】
この目的を達成するために、請求項１に記載の発明によれば、主暖房対象空間と副暖房対象空間との夫々に熱媒体流通管が装備された床暖房パネルが設けられ、熱源からの熱媒体が前記熱媒体流通管に循環流動されるように構成されている床暖房設備において、
前記床暖房パネルとして、前記主暖房対象空間に設置される主床暖房パネルと前記副暖房対象空間に設置される副床暖房パネルとが設けられ、前記熱源からの熱媒体を前記主床暖房パネルの熱媒体流通管、前記副床暖房パネルの熱媒体流通管の順に流動させるように、前記主床暖房パネル、前記副床暖房パネル、および、前記熱源が接続されている。
【０００７】
すなわち、熱源からの熱媒体は、まず、主暖房対象空間に設置される主床暖房パネルの熱媒体流通管を通流することにより、主床暖房パネルの表面を加熱し、次に、副暖房対象空間に設置される副床暖房パネルの熱媒体流通管を通流することにより、副床暖房パネルの表面を加熱し、その後、熱源に戻ることになる。
そして、熱媒体は通流に伴う放熱によって温度が低下するものとなるが、主床暖房パネルでは放熱前の十分高温な熱媒体が熱源より供給されることになり、副床暖房パネルでは主床暖房パネルにて放熱後の低温の熱媒体が供給されることとなる。
したがって、熱源から副暖房対象空間よりも先に熱媒体が供給される主暖房対象空間では、使用者が快適感を得られる温度まで暖房することができ、しかも、副暖房対象空間では、主暖房対象空間よりも低い温度となるように暖房することができるので、使用者が存在する可能性の高い主暖房対象空間では、使用者が求める所望の暖房効果を得ながら、使用者が存在する可能性の低い副暖房対象空間でも、主暖房対象空間ほど高温ではないものの、暖房効果を得ることができることになる。
【０００８】
しかも、熱源からの熱媒体の供給を開始することにより、熱源からの熱媒体が、主床暖房パネルの熱媒体流通管、副床暖房パネルの熱媒体流通管の順に流動することになり、熱源からの熱媒体の供給を停止することにより、熱源からの熱媒体が、主床暖房パネルの熱媒体流通管および副床暖房パネルの熱媒体流通管のいずれに対しても供給が停止することになる。
したがって、熱源からの熱媒体の供給状態を制御する制御装置は、主暖房対象空間と副暖房対象空間とを兼用することができることになり、床暖房設備として設ける制御装置の数を削減でき、主暖房対象空間と副暖房対象空間とを兼用した制御装置に対して熱媒体の供給を開始するまたは停止するなどの指令を与える操作をするだけで主暖房対象空間および副暖房対象空間を暖房することができることになる。
【０００９】
以上のことから、主暖房対象空間では、使用者が求める所望の暖房効果を得ながら、副暖房対象空間では、余剰な暖房を防止しながらも、暖房効果を得ることができることとなり、しかも、主暖房対象空間と副暖房対象空間の兼用の制御装置に対して指令を与える操作を行うだけで、主暖房対象空間および副暖房対象空間を暖房することができることとなって、余剰なコストの削減、設備コストの低減、および、主暖房対象空間および副暖房対空間を暖房する際の操作の簡素化を図りながら、主暖房対象空間および副暖房対象空間を暖房することが可能となる床暖房設備を提供できるに至った。
また、請求項１に記載の発明によれば、前記主床暖房パネルとして、前記主暖房対象空間の中央部分に設置される主パネル部分とその主パネル部分の周囲の全周囲または一部に配置される副パネル部分とが設けられ、前記熱源からの熱媒体を前記主パネル部分の熱媒体流通管、前記副パネル部分の熱媒体流通管の順に流動させるように、前記主パネル部分、前記副パネル部分、および、前記熱源が接続されている。
すなわち、主暖房対象空間のうち、使用者が存在する可能性の高い中央部分に主パネル部分を設置し、その主パネル部分の側脇部として、主パネル部分の側周部の全周や一部など、主パネル部分の周囲のうち、全周囲または一部に副パネル部分を設置することにより、暖房対象空間の床面に全体的に床暖房パネルを敷設することになる。
ちなみに、副パネル部分を主パネル部分の周囲のうち、一部に設置する場合には、主パネル部分の周囲のうち、残りの部分にダミーパネルを設置することにより、副パネル部分およびダミーパネルにて主パネル部分の周囲の全周囲を覆うようにする。
熱源からの熱媒体は、まず、主暖房対象空間の中央部分に設置された主パネル部分の熱媒体流通管を通流することにより、主パネル部分の表面を加熱し、次に、主パネル部分の側周部の全周や一部に設置された副パネル部分の熱媒体流通管を通流することにより、副パネル部分の表面を加熱し、その後、熱源に戻ることになる。
そして、熱媒体は通流に伴う放熱によって温度が低下するものとなるが、主パネル部分では放熱前の十分高温な熱媒体が熱源より供給されることになる。
したがって、熱源からの熱媒体が副パネル部分よりも先に供給される主パネル部分では、使用者が快適感を得られる温度まで表面温度を高くすることができ、しかも、主パネル部分と副パネル部分とによって主暖房対象空間の床面の全体にわたって表面温度を上昇させることができることになるので、主パネル部分が設置された使用者が存在する可能性の高い空間では、快適な暖房効果を得ながら、主暖房対象空間の床面温度の温度バリアフリーを実現することができることになる。
【００１０】
請求項２に記載の発明によれば、前記主床暖房パネルの熱媒体流通管が、パネル全体にわたって分散配置した熱媒体往動通流用の往路部分と、その往路部分の端部から連なり前記往路部分に対し熱媒体通流方向が逆方向になる状態で並んで配置される熱媒体復動通流用の復路部分とを備えるように構成され、前記復路部分を通流した熱媒体を前記副床暖房パネルに導入するように構成されている。
【００１１】
すなわち、主床暖房パネルの熱媒体流通管に供給される熱媒体は、まず、往路部分を通流して主床暖房パネルのパネル全体にわたって往動通流し、次に、往路部分に対し熱媒体通流方向が逆方向になる状態で並んで配置される復路部分を通流して主床暖房パネルのパネル全体にわたって復動通流し、その後、副床暖房パネルの熱媒体流通管に供給されることになる。
そして、熱媒体は通流に伴う放熱によって温度低下するものとなるが、主床暖房パネルにおいては、順次温度が高温から低温に移行する往路部分と、順次温度が高温から低温に移行する復路部分とが、流れ方向が逆になる状態で並ぶため、主床暖房パネルの各部への放熱量を均一化し易いものとなっている。
したがって、熱媒体流通管の往路部分および復路部分を通流する熱媒体により、主床暖房パネルのパネル全体にわたって表面温度を均一にすることができることになって、使用者が存在する可能性の高い主暖房対象空間では、パネルが敷設された床面全体にわたって均一に暖房することができることになる。
【００１２】
請求項３に記載の発明によれば、前記主床暖房パネルにおける前記熱媒体流通管の設置密度が、前記副床暖房パネルにおける前記熱媒体流通管の設置密度よりも大きくなるように構成されている。
【００１３】
すなわち、熱媒体流通管の設置密度とは、単位面積当たりに熱媒体流通管が占める度合いを示したものであり、その熱媒体流通管の設置密度が、主床暖房パネルの方が副床暖房パネルよりも大きくなるように構成することにより、主床暖房パネルは、副床暖房パネルよりも、熱媒体流通管が密集した状態で設けられることになる。
したがって、主床暖房パネルにおいては、熱媒体流通管を密集した状態で設けることにより、表面温度を使用者が快適感を得られる温度まで的確に上昇させることができることとなって、使用者が存在する可能性の高い主暖房対象空間では、所望の暖房効果を的確に得ることができることになる。
【００１４】
請求項４に記載の発明によれば、前記主床暖房パネルを通流した熱媒体を前記副床暖房パネルを通流させて前記熱源に戻す併用通流状態と、前記主床暖房パネルを通流した熱媒体を前記副床暖房パネルをバイパスして前記熱源に戻す単独通流状態とに切換自在な通流状態切換手段が設けられている。
【００１５】
すなわち、手動操作や切換指令が指令されるなどによって、通流状態切換手段を併用通流状態と単独通流状態とに切り換えることにより、熱源からの熱媒体を主床暖房パネルの熱媒体流通管と副床暖房パネルの熱媒体流通管の両方に通流させる状態と、熱源からの熱媒体を主床暖房パネルの熱媒体流通管のみに通流させる状態とに切り換えることになる。
したがって、使用者が手動操作や切換指令を指令することにより、主床暖房パネルと副床暖房パネルとの両方にて、暖房対象空間の全体にわたって暖房する状態と、主床暖房パネルのみにて、暖房対象空間の一部を集中して暖房する状態とに切り換えることができることになって、使用者の意図に応じた状態で暖房対象空間を暖房することができることになる。
【００２０】
【発明の実施の形態】
本発明にかかる床暖房設備について図面に基づいて説明する。
〔参考実施形態〕
この床暖房設備は、図１および図２に示すように、リビングや和室などの主暖房対象空間Ｋ１と台所や廊下などの副暖房対象空間Ｋ２の夫々の床面に設置される床暖房パネル１，２と、その床暖房パネル１，２の熱媒体流通管３，４に熱媒体としての温水を循環流動させる熱源としての熱源機Ｇとを備えて構成されている。
前記床暖房パネル１，２として、主暖房対象空間Ｋ１に設置される主床暖房パネル１と、副暖房対象空間Ｋ２に設置される副床暖房パネル２とが設けられ、主床暖房パネル１および副床暖房パネル２に熱媒体流通管３，４が装備されている。
【００２１】
前記熱源機Ｇからの温水を主床暖房パネル１の熱媒体流通管３、副床暖房パネル２の熱媒体流通管４の順に流動させるように、主床暖房パネル１、副床暖房パネル２、および、熱源機Ｇが接続されている。
すなわち、熱源機Ｇから温水を供給する側が、主床暖房パネル１の熱媒体流通管３の入口側に接続され、主床暖房パネル１の熱媒体流通管３の出口側が、副床暖房パネル２の熱媒体流通管４の入口側に接続され、副床暖房パネル２の熱媒体流通管４の出口側が、熱源機Ｇに温水を戻す側に接続されている。
【００２２】
ちなみに、図１では、熱源機Ｇ、主床暖房パネル１、副床暖房パネル２の接続は２系統に分けて接続され、ひとつは、熱源機Ｇと、リビングに設置された主床暖房パネル１と、台所に設置された副床暖房パネル２とを接続し、もうひとつは、熱源機Ｇと、和室に設置された主床暖房パネル１と、廊下に設置された副床暖房パネル２とを接続するようにしている。
図２は、図１において、熱源機Ｇと、リビングに設置された主床暖房パネル１と、台所に設置された副床暖房パネル２とを取り出した状態での拡大平面図を示している。
【００２３】
以下、主床暖房パネル１および副床暖房パネル２の構成について説明するが、主床暖房パネル１は、リビングに設置するものも、和室に設置するものも、形状が異なる以外は同様の構成をしており、副床暖房パネル２は、台所に設置するものも、廊下に設置するものも、形状が異なる以外は同様の構成をしているので、以下、図２に示すように、一方の主床暖房パネル１および副床暖房パネル２について説明し、他方の主床暖房パネル１および副床暖房パネル２については説明を省略する。
【００２４】
前記主床暖房パネル１は、図２に示すように、主暖房対象空間Ｋ１の中央部分に設置され、主直線用基材５の複数枚と、主直線用基材５の幅のほぼ２倍の幅を備えた幅広の主湾曲用基材６の複数枚と、主直線用基材５の幅とほぼ同じ幅を備えた幅狭の主湾曲用基材７とから構成され、主直線用基材５、幅広の主湾曲用基材６、および、幅狭の主湾曲用基材７の夫々には、熱媒体流通管３を配設するための上方が開口した凹入状の主溝部８が形成されている。
そして、主直線用基材５、幅広の主湾曲用基材６、および、幅狭の主湾曲用基材７の夫々は、厚みが同じで、例えば、ポリエチレン発泡体などの発泡体にて構成され、熱媒体流通管３を配設するための溝部の形状が異なる複数の矩形基材を並べることにより、主床暖房パネル１を構成している。
ちなみに、主暖房対象空間Ｋ１において、主床暖房パネル１の側周部の全周にわたってダミーパネルＢを配置するようにしている。
【００２５】
前記主床暖房パネル１は、主直線用基材５の長さ方向（図２中Ｙ方向）に隣接させた２つの主直線用基材５を、その幅方向（図２中Ｘ方向）を同一方向として、複数の主直線用基材５を互いに隣接するように配置し、主直線用基材５の長さ方向（図２中Ｙ方向）の両端部に幅広の主湾曲用基材６を配置して構成されている。
前記幅狭の主湾曲用基材７は、主直線用基材５の長さ方向（図２中Ｙ方向）の一端部で、かつ、主直線用基材５の幅方向（図２中Ｘ方向）の一端部に配置されている。
ちなみに、主床暖房パネル１において、幅狭の主湾曲用基材７の配置位置と対向する端部には、熱媒体流通管３の入口部分および出口部分を配管するように、他の主直線用基材５よりも長さが長い接続用の主直線用基材５ａが配置されている。
【００２６】
前記主直線用基材５および前記主湾曲用基材６，７の幅方向に隣接する形態で木製の小根太９が設けられ、この小根太９は、幅が同じで長さが異なる複数の板体を主直線用基材５および主湾曲用基材６，７の幅方向に並べて構成されている。
ちなみに、小根太９として、主直線用基材５と同じ長さを備えた長尺の板体と、その長尺の板体よりも短くて主湾曲用基材６，７と同じ長さを備えた中尺の板体と、その中尺の板体よりも短い長さを備えた短尺の板体とが設けられ、長尺の板体を主直線用基材５の間に設置し、中尺の板体を幅広の主湾曲用基材６どうしの間または幅広の主湾曲用基材６と幅狭の主湾曲用基材７の間に設置し、短尺の板体を幅広の主湾曲用基材６の中央部分に設置するようにしている。
【００２７】
前記主溝部８は、主直線用基材５に形成された直線状の主直線溝部８ａと、幅広の湾曲用基材６に形成された湾曲状の主湾曲溝部８ｂと、幅狭の湾曲用基材７に形成された湾曲状の主湾曲溝部８ｃとから構成され、主直線溝部８ａ、主湾曲溝部８ｂ、および、主湾曲溝部８ｃにわたって熱媒体流通管３を配管するように構成されている。
前記主湾曲溝部８ｂは、主直線用基材５の幅方向に隣接する主直線用基材５に形成された主直線溝部８ａにわたって熱媒体流通管３を配管するように構成されている。
前記主湾曲溝部８ｃは、同じ主直線用基材５に形成された主直線溝部８ａにわたって熱媒体流通管３を配管するように構成されている。
【００２８】
前記主床暖房パネル１の熱媒体流通管３は、一般的に架橋ポリエチレン管やポリブテン樹脂管など可撓性のあるものが使用され、接続部のない管により構成されている。
そして、主床暖房パネル１の熱媒体流通管３は、主直線溝部８ａおよび主湾曲溝部８ｂにわたって蛇行状に配管されて主湾曲溝部８ｃに連なる熱媒体往動通流用の往路部分３ａと、主湾曲溝部８ｃから連なり主直線溝部８ａおよび主湾曲溝部８ｂにわたって蛇行状に配管される熱媒体復動通流用の復路部分３ｂとを備えるように構成されている。
すなわち、主床暖房パネル１の熱媒体流通管３は、パネル全体にわたって分散配置した往路部分３ａと、その往路部分３ａの端部から連なり往路部分３ａに対し熱媒体通流方向が逆方向になる状態で並んで配置される、すなわち往路部分３ａの端部から連なり往路部分３ａと平行またはほぼ平行な姿勢で配置される復路部分３ｂとを備えて構成され、往路部分３ａと復路部分３ｂとを主床暖房パネル用間隔Ｄ１を隔てて隣接する状態で配置するようにしている。
【００２９】
前記副床暖房パネル２は、副直線用基材１０と、副直線用基材１０の幅とほぼ同じ幅を備えた副円弧用基材１１の複数枚と、副直線用基材１０の幅とほぼ同じ幅を備えた副湾曲用基材１２とから構成され、副直線用基材１０、副円弧用基材１１、および、副湾曲用基材１２の夫々には、熱媒体流通管４を配設するための上方が開口した凹入状の副溝部１３が形成されている。
そして、副直線用基材１０、副円弧用基材１１、および、副湾曲用基材１２の夫々は、同じ厚みで、例えば、木製にて構成され、熱媒体流通管４を配設するための溝部の形状が異なる複数の矩形基材板状を並べることにより、副床暖房パネル２を構成している。
【００３０】
前記副溝部１３は、副直線用基材１０に形成された直線状の副直線溝部１３ａと、副円弧用基材１１に形成された円弧状の副円弧溝部１３ｂと、副湾曲用基材１２に形成された湾曲状の副湾曲溝部１３ｃとから構成され、副直線溝部１３ａ、副円弧溝部１３ｂ、および、副湾曲溝部１３ｃにわたって熱媒体流通管４を配管するように構成されている。
【００３１】
前記副床暖房パネル２の熱媒体流通管４も、主床暖房パネル１の熱媒体流通管３と同様に、一般的に架橋ポリエチレン管やポリブテン樹脂管など可撓性のあるものが使用され、接続部のない管により構成されている。
そして、副床暖房パネル２の熱媒体流通管４は、副直線溝部１３ａおよび副円弧溝部１３ｂにわたって配管されて副湾曲溝部１３ｃに連なる熱媒体往動通流用の往路部分４ａと、副湾曲溝部１３ｃから連なり副直線溝部１３ａおよび副円弧溝部１３ｂにわたって配管される熱媒体復動通流用の復路部分４ｂとを備えるように構成され、往路部分４ａと復路部分４ｂとを副床暖房パネル用間隔Ｄ２を隔てて隣接する状態で配置するようにしている。
【００３２】
前記主床暖房パネル１の熱媒体流通管３は、主床暖房パネル用間隔Ｄ１を隔てて隣接する状態で配置され、副床暖房パネル２の熱媒体流通管４は、主床暖房パネル用間隔Ｄ１よりも大きい副床暖房パネル用間隔Ｄ２を隔てて隣接する状態で配置されて、主床暖房パネル１における熱媒体流通管３の設置密度が、副床暖房パネル２における熱媒体流通管４の設置密度よりも大きくなるように構成されている。
ちなみに、主床暖房パネル１では、小根太９を、例えば、主直線基材５の幅方向（図２中Ｘ方向）に３０３ｍｍの間隔を隔てて配置し、その小根太９間に熱媒体流通管３を２本配置させるようにして、主床暖房パネル用間隔Ｄ１を、例えば、１５０ｍｍとし、副床暖房パネル用間隔Ｄ２を、例えば、２００〜３００ｍｍとしている。
【００３３】
前記主床暖房パネル１および副床暖房パネル２の夫々には、主床暖房パネル１、副床暖房パネル２、および、熱源機Ｇを接続するための接続用基材１４，１５が備えられ、この接続用基材１４，１５にも、上方が開口した凹入状の接続溝部１６，１７が形成されている。
【００３４】
そして、主床暖房パネル１の接続用基材１４に形成された接続溝部１６に、主床暖房パネル１の熱媒体流通管３の入口部分および出口部分を配管させて、主床暖房パネル１の熱媒体流通管３と副床暖房パネル２の熱媒体流通管４とを接続するように構成されている。
また、副床暖房パネル２の接続用基材１５に形成された接続溝部１７は、直線状の供給用溝部１７ａと、Ｌ字状の中継用溝部１７ｂと、Ｌ字状の戻し用溝部１７ｃと、中継用溝部１７ｂと戻し用溝部１７ｃとを接続する直線状のバイパス用溝部１７ｄなどから構成されている。
そして、供給用溝部１７ａ、中継用溝部１７ｂ、戻し用溝部１７ｃ、および、バイパス用溝部１７ｄは、熱源機Ｇと副床暖房パネル２を接続する管部分、および、副床暖房パネル２と主床暖房パネル１とを接続する管部分を配管するように構成されている。
【００３５】
ちなみに、図示は省略しているが、熱源機Ｇと副床暖房パネル２を接続する接続管、および、副床暖房パネル２と主床暖房パネル１とを接続する接続管などの各接続管として、直線状やＴ字状などの各種形状の接続管が設けられ、これらの接続管を接続溝部１７に配管するように構成されている。
【００３６】
前記バイパス溝部１７ｄと戻し溝部１７ｃとの接続箇所には、熱源機Ｇからの温水を主床暖房パネル１および副床暖房パネル２の両方に通流させて熱源機Ｇに戻す併用通流状態と、熱源機Ｇからの温水を主床暖房パネル１のみに通流させて熱源機Ｇに戻す単独通流状態とに切換自在な通流状態切換手段としての通流状態切換体１８が配設されている。
すなわち、通流状態切換体１８は、使用者による手動操作や、図外のリモコンからの切換指令により、主床暖房パネル１を通流した温水を副床暖房パネル２を通流させて熱源機Ｇに戻す併用通流状態と、主床暖房パネル１を通流した温水を副床暖房パネル２をバイパスして熱源機Ｇに戻す単独通流状態とに切り換えるように構成されている。
【００３７】
以上のように構成された床暖房設備にて、主暖房対象空間Ｋ１および副暖房対象空間Ｋ２を暖房する場合について説明を加える。
ちなみに、この床暖房設備では、図示はしないが、熱源機Ｇからの温水の供給を開始したり、熱源機Ｇからの温水の供給を停止するなど、熱源機Ｇからの温水の供給状態を制御する主暖房対象空間Ｋ１と副暖房対象空間Ｋ２の兼用の制御装置が設けられ、図外のリモコンにて熱源機Ｇからの温水の供給を開始するまたは停止する指令を与えることによって、主暖房対象空間Ｋ１および副暖房対象空間Ｋ２を暖房するようにしている。
【００３８】
まず、主床暖房パネル１および副床暖房パネル２にて主暖房対象空間Ｋ１および副暖房対象空間Ｋ２を暖房するときについて説明すると、手動操作あるいは図外のリモコンにて併用通流状態用の切換指令を指令することにより、通流状態切換体１８を併用通流状態に切り換える。
熱源機Ｇからの温水は、まず、主床暖房パネル１の熱媒体流通管３に供給され、その熱媒体流通管３における往路部分３ａおよび復路部分３ｂを通流される。そして、主床暖房パネル１を通流した温水は、通流状態切換体１８の作用により、副床暖房パネル２の熱媒体流通管４に供給され、その熱媒体流通管４における往路部分４ａおよび復路部分４ｂを通流したのち、熱源機Ｇに戻される。
【００３９】
このようにして、熱源機Ｇからの温水を、主床暖房パネル１の熱媒体流通管３、副床暖房パネル２の熱媒体流通管４の順に通流させたのち、熱源機Ｇに戻すことにより、主床暖房パネル１のパネル全体にわたって表面温度を使用者が快適感を感じる温度まで上昇させて、主暖房対象空間Ｋ１では、所望の暖房効果を得るようにするとともに、副床暖房パネル２の表面温度を主床暖房パネル１の表面温度よりも低い温度まで上昇させて、副暖房対象空間Ｋ２では、余剰な暖房を防止しながら、暖房効果を得るようにしている。
【００４０】
次に、主床暖房パネル１にて主暖房対象空間Ｋ１のみを暖房するときについて説明すると、手動操作あるいは図外のリモコンにて単独通流状態用の切換指令を指令することにより、通流状態切換体１８を単独通流状態に切り換える。
熱源機Ｇからの温水は、まず、主床暖房パネル１の熱媒体流通管３に供給され、その熱媒体流通管３における往路部分３ａおよび復路部分３ｂを通流される。そして、主床暖房パネル１を通流した温水は、通流状態切換体１８の作用により、副床暖房パネル２をバイパスして熱源機Ｇに戻される。
【００４１】
このようにして、熱源機Ｇからの温水を、主床暖房パネル１の熱媒体流通管３を通流させたのち、熱源機Ｇに戻すことにより、主床暖房パネル１のパネル全体にわたって表面温度を使用者が快適感を感じる温度まで上昇させて、主暖房対象空間Ｋ１のみを集中して暖房するようにしている。
【００４２】
〔本発明の実施形態〕
この本発明の実施形態は、上記参考実施形態における主暖房対象空間Ｋ１に設置される主床暖房パネル１の別実施形態を示すものであり、その他の構成については、上記参考実施形態と同様であるので、同符号を記すなどにより省略し、上記参考実施形態と異なる構成について説明する。
【００４３】
この本発明の実施形態では、図３および図４に示すように、主床暖房パネル１として、主パネル部分１ａとその主パネル部分１ａの側脇部に設置される副パネル部分１ｂとが設けられ、主パネル部分１ａの側周部の全周にわたって副パネル部分１ｂを配置するようにしている。
ちなみに、図４は、図３において、熱源機Ｇと、リビングに設置された主床暖房パネル１と、台所に設置された副床暖房パネル２とを取り出した状態での拡大平面図を示している。
【００４４】
すなわち、上記参考実施形態における床暖房パネル１を主パネル部分１ａとし、その主パネル部分１ａに加えて、その主パネル部分１ａの側周部の全周にわたって設置される副パネル部分１ｂを設けることにより、主パネル部分１ａと副パネル部分１ｂにより主床暖房パネルを構成するようにしている。
以下、この本発明の実施形態について説明するが、主パネル部分１ａは上記参考実施形態における主床暖房パネル１であるので、副パネル部分１ｂを中心に説明する。
【００４５】
前記副パネル部分１ｂは、主パネル部分１ａの側周部の全周にわたって設置され、副パネル直線用基材１９の複数枚と、副パネル直線用基材１９の幅とほぼ同じ幅を備えた副パネル円弧用基材２０の複数枚と、副パネル直線用基材１９の幅とほぼ同じ幅を備えた副パネル湾曲用基材２１とから構成され、副パネル直線用基材１９、副パネル円弧用基材２０、および、副パネル湾曲用基材２１の夫々には、熱媒体流通管３を配設するための上方が開口した凹入状の副パネル溝部２２が形成されている。
そして、副パネル直線用基材１９、副パネル円弧用基材２０、および、副パネル湾曲用基材２１の夫々は、同じ厚みで、例えば、木製にて構成され、熱媒体流通管３を配設するための溝部の形状が異なる複数の矩形基材を並べることにより、副パネル部分１ｂを構成している。
【００４６】
前記副パネル部分１ｂは、主パネル部分１ａの四隅部に副パネル円弧用基材２０および副パネル湾曲用基材２１を配置させ、副パネル円弧用基材２０と副パネル湾曲用基材２１の間および副パネル円弧用基材２０間に副パネル直線用基材１９を配置させて、副パネル直線用基材１９、副パネル円弧用基材２０、および、副パネル湾曲用基材２１にて主パネル部分３ａの側周部の全周を囲むように構成されている。
【００４７】
また、熱源機Ｇからの温水を主パネル部分３ａの熱媒体流通管１、副パネル部分３ｂの熱媒体流通管２の順に流動させるように、主パネル部分３ａ、副パネル部分３ｂ、および、熱源機Ｇが接続されている。
すなわち、熱源機Ｇから温水を供給する側が、主パネル部分１ａの熱媒体流通管３の入口側に接続され、主パネル部分１ａの熱媒体流通管３の出口側が、副パネル部分１ｂの熱媒体流通管３の入口側に接続され、副パネル部分１ｂの熱媒体流通管３の出口側が、熱源機Ｇに温水を戻す側に接続されている。
【００４８】
前記副パネル溝部２２は、副パネル直線用基材１９に形成された直線状の副パネル直線溝部２２ａと、副パネル円弧用基材２０に形成された円弧状の副パネル円弧溝部２２ｂと、副パネル湾曲用基材２１に形成された湾曲状の副パネル湾曲溝部２２ｃとから構成され、副パネル直線溝部２２ａ、副パネル円弧溝部２２ｂ、および、副パネル湾曲溝部２２ｃにわたって熱媒体流通管３を配管するように構成されている。
前記副パネル円弧溝部２２ｂは、副パネル円弧用基材２０に対して直交する方向に配置される副パネル直線用基材１９の副パネル直線溝部２２ａにわたって熱媒体流通管３を配管するように構成されている。
前記副パネル湾曲溝部２２ｃは、同じ副パネル直線用基材１９に形成された副パネル直線溝部２２ａにわたって熱媒体流通管３を配管するように構成されている。
【００４９】
前記副パネル部分３ｂに配管される熱媒体流通管３も、主パネル部分３ａの熱媒体流通管３と同様に、パネル全体にわたって分散配置した熱媒体往動通流用の往路部分３ｃと、その往路部分３ｃの端部から連なり往路部分３ｃと平行またはほぼ平行な姿勢で配置される熱媒体復動通流用の復路部分３ｄとを備えて構成されている。
【００５０】
そして、主床暖房パネル１の熱媒体流通管３は、主パネル部分１ａにおいては、主床暖房パネル用間隔Ｄ１を隔てて隣接する状態で配置され、副パネル部分１ｂにおいては、主床暖房パネル用間隔Ｄ１よりも大きい副パネル用間隔Ｄ３を隔てて隣接する状態で配置されて、主パネル部分１ａにおける熱媒体流通管３の設置密度が、副パネル部分１ｂにおける熱媒体流通管３の設置密度よりも大きくなるように構成されている。
ちなみに、主床暖房パネル用間隔Ｄ１を、例えば、１５０ｍｍとし、副パネル用間隔Ｄ３を、例えば、２００〜３００ｍｍとしている。
【００５１】
前記副パネル部分１ｂには、熱源機Ｇからの温水を、主パネル部分１ａの熱媒体流通管３、副パネル部分１ｂの熱媒体流通管３の順に流動させるように、主パネル部分１ａ、および、副パネル部分１ｂを接続するための接続用基材２３が備えられ、この接続用基材２３にも、上方が開口した凹入状の接続溝部２４が形成されている。
【００５２】
前記接続溝部２４は、直線状の供給用溝部２４ａと、Ｌ字状の中継用溝部２４ｂと、Ｌ字状の戻し用溝部２４ｃと、中継用溝部２４ｂと戻し用溝部２４ｃとを接続する直線状のバイパス用溝部２４ｄなどから構成されている。
そして、供給用溝部２４ａ、中継用溝部２４ｂ、戻し用溝部２４ｃ、および、バイパス用溝部２４ｄは、熱源機Ｇと主パネル部分３ａを接続する管部分、主パネル部分３ａと副パネル部分３ｂを接続する管部分、および、副パネル部分３ｂと熱源機Ｇとを接続する管部分を配管するように構成されている。
【００５３】
ちなみに、図示は省略しているが、熱源機Ｇと主パネル部分１ａを接続する接続管、主パネル部分１ａと副パネル部分１ｂを接続する接続管、および、副パネル部分１ｂと熱源機Ｇとを接続する接続管などの各接続管として、直線状やＴ字状などの各種形状の接続管が設けられ、これらの接続管を接続溝部２４に配管するように構成されている。
【００５４】
前記バイパス溝部２４ｄと戻し溝部２４ｃとの接続箇所には、熱源機Ｇからの温水を主パネル部分１ａおよび副パネル部分１ｂの両方に通流させて副床暖房パネル２に通流させる全体通流状態と、熱源機Ｇからの温水を主パネル部分１ａのみに通流させて副床暖房パネル２に通流させる一部通流状態とに切換自在な主床暖房パネル用の通流状態切換体２５が配設される。
前記通流状態切換体２５は、使用者による手動操作や、図外のリモコンからの切換指令により、全体通流状態と一部通流状態とに切り換えられるように構成されている。
【００５５】
以上のように構成された床暖房設備にて、主暖房対象空間Ｋ１および副暖房対象空間Ｋ２を暖房する場合について説明を加える。
すなわち、この本発明の実施形態では、上記参考実施形態と同様に、通流状態切換体１８を併用通流状態と単独通流状態とに切り換えることにより、主暖房対象空間Ｋ１および副暖房対象空間Ｋ２の両方を暖房する状態と主暖房対象空間Ｋ１のみ暖房する状態とに切り換え可能に構成されていることに加えて、主暖房対象空間Ｋ１を暖房するときには、主パネル部分１ａおよび副パネル部分１ｂの両方にて暖房する状態と、主パネル部分１ａのみにて暖房する状態とに切り換え可能に構成されている。
【００５６】
以下、主暖房対象空間Ｋ１を暖房するときについて説明を加える。
まず、主パネル部分１ａおよび副パネル部分１ｂの両方にて主暖房対象空間Ｋ１を暖房するときには、手動操作あるいは図外のリモコンにて全体通流状態用の切換指令を指令することにより、主床暖房パネル用の通流状態切換体２５を全体通流状態に切り換える。
熱源機Ｇからの温水は、まず、主床暖房パネル１の熱媒体流通管３のうち、主パネル部分１ａの熱媒体流通管３に供給され、その熱媒体流通管３における往路部分３ａおよび復路部分３ｂを通流される。
そして、主パネル部分１ａを通流した温水は、主床暖房パネル用の通流状態切換体２５の作用により、副パネル部分１ｂの熱媒体流通管３に供給され、その熱媒体流通管３における往路部分３ｃおよび復路部分３ｄを通流する。
【００５７】
このようにして、熱源機Ｇからの温水を、主パネル部分１ａの熱媒体流通管３、副パネル部分１ｂの熱媒体流通管３の順に通流させることにより、主パネル部分１ａのパネル全体にわたって表面温度を使用者が快適感を感じる温度まで上昇させて、主暖房対象空間Ｋ１の中央部分では、所望の暖房効果が得られ、主パネル部分１ａおよび副パネル部分１ｂにて主暖房対象空間Ｋ１の床面を全体的に暖房するようにしている。
【００５８】
次に、主パネル部分１ａのみにて主暖房対象空間Ｋ１を暖房するときには、手動操作あるいは図外のリモコンにて一部通流状態用の切換指令を指令することにより、主床暖房パネル用の通流状態切換体２５を一部通流状態に切り換える。
熱源機Ｇからの温水は、まず、主パネル部分１ａの熱媒体流通管３に供給され、その熱媒体流通管３における往路部分３ａおよび復路部分３ｂを通流される。
そして、主パネル１ａを通流した温水は、主床暖房パネル用の通流状態切換体２５により、副パネル部分１ｂをバイパスされる。
【００５９】
このようにして、熱源機Ｇからの温水を、主パネル部分１ａの熱媒体流通管３を通流させたのち、副パネル部分１ｂをバイパスさせることにより、主パネル部分１ａのパネル全体にわたって表面温度を使用者が快適感を感じる温度まで上昇させて、主暖房対象空間Ｋ１の中央部分を集中して暖房して、所望の暖房効果を得るようにしている。
【００６０】
〔別実施形態〕
（１）上記本発明の実施形態では、主パネル部分１ａの側周部の全周にわたって副パネル部分１ｂを配置させるようにしているが、例えば、主パネル部分１ａの側周部の一部に副パネル部分１ｂを配置して、残りの部分には、ダミーパネルＢを配置させるようにしてもよい。
すなわち、副パネル部分１ｂは、主パネル部分１ａの側周部の全周にわたって配置するものに限らず、主パネル部分１ａの側周部の一部に配置するものでもよい。
【００６１】
（２）上記本発明の実施形態では、リビングに設置した主床暖房パネル１も、和室に設置した主床暖房パネル１も、主パネル部分１ａおよび副パネル部分１ｂとから構成した例を示したが、リビングに設置した主床暖房パネル１のみ、主パネル部分１ａおよび副パネル部分１ｂとから構成してもよい。
すなわち、複数の主床暖房パネル１を設ける場合には、複数の主床暖房パネル１の一部のみ、主パネル部分１ａおよび副パネル部分１ｂとから構成して実施することも可能である。
【００６２】
（３）上記参考および本発明の実施形態では、主床暖房パネル１の熱媒体流通管３、および、副床暖房パネル２の熱媒体流通管４は、ともに、熱媒体往動通流用の往路部分と熱媒体復動通流用の復路部分とを備えて、熱媒体流通管を往復配管するようにしているが、必ずしも熱媒体流通管を往復配管する必要はなく、また、主床暖房パネル１または副床暖房パネル２の一方のみ熱媒体流通管を往復配管することも可能である。
【００６３】
（４）上記参考および本発明の実施形態では、主床暖房パネル１における熱媒体流通管３の設置密度を、副床暖房パネル２における熱媒体流通管４の設置密度よりも大きくするために、主床暖房パネル用間隔Ｄ１よりも副床暖房パネル用間隔Ｄ２を大きくしているが、このような構成に限らず、例えば、主床暖房パネル１に配管する熱媒体流通管の数を副床暖房パネル２に配管する熱媒体流通管の数よりも多くするなど、適宜変更が可能である。
また、主床暖房パネル１における熱媒体流通管３の設置密度と、副床暖房パネル２における熱媒体流通管４の設置密度とを、同様な設置密度となるようにしてもよい。
【００６４】
（５）上記参考および本発明の実施形態では、併用通流状態と単独通流状態とに切換自在な通流状態切換体１４を設けるようにしているが、この通流状態切換体１４を設けずに、常時、併用通流状態として実施することも可能である。
【００６５】
（６）上記参考および本発明の実施形態では、主床暖房パネルとして、小根太９を設ける小根太付きパネルを例示したが、小根太９を設けるものに限らず、その他の各種の床暖房パネルを適応することが可能である。
また、副床暖房パネル２についても、各種の床暖房パネルを適応することが可能である。
【００６６】
（７）上記参考および本発明の実施形態では、主床暖房パネル１として、複数に分割された基材に熱媒体流通管３を配管するように構成されたパネルを例示したが、予め熱媒体流通管が装備された一体型のパネルを適応することも可能である。
副床暖房パネル２についても、複数に分割された基材に熱媒体流通管４を配管するように構成されたパネルに限らず、予め熱媒体流通管が装備された一体型のパネルを適応することも可能である。
【００６７】
（８）上記参考および本発明の実施形態では、主暖房対象空間Ｋ１として、リビングや和室を例示し、副暖房対象空間Ｋ２として、台所や廊下を例示しているが、主暖房対象空間Ｋ１および副暖房対象空間Ｋ２をどの空間にするかは適宜変更が可能である。
【図面の簡単な説明】
【図１】  参考実施形態の住居の横断平面図
【図２】  参考実施形態の主床暖房パネルおよび副床暖房パネルの平面図
【図３】  本発明の実施形態の住居の横断平面図
【図４】  本発明の実施形態の主床暖房パネルおよび副床暖房パネルの平面図
【図５】  従来技術の住居の横断平面図
【符号の説明】
１              主床暖房パネル
１ａ            主パネル部分
１ｂ            副パネル部分
２              副床暖房パネル
３，４          熱媒体流通管
３ａ            往路部分
３ｂ            復路部分
１８            通流状態切換手段
【図１】
0003926213.tif 000002
【図２】
0003926213.tif 000003
【図３】
0003926213.tif 000004
【図４】
0003926213.tif 000005
【図５】
0003926213.tif 000006